(57)【要約】【課題】  簡単な構造で容易に屋根の積雪を除くことができる屋根の除雪装置を提供すること。【解決手段】  屋根２０上の積雪を除去する屋根の除雪装置１０であって、屋根２０の棟２１側から軒２２側までにわたって配設されたボールネジ３５と、ボールネジ３５を回転させる駆動手段３１と、ボールネジ３５に螺合し、ボールネジ３５の回転によりボールネジ３５の軸方向に移動するスライド部材４１とを備え、スライド部材４１がボールネジ３５の軸方向に沿って屋根２０の棟２１側から軒２２側に移動するときに、スライド部材４１が屋根２０上の積雪を屋根２０の軒２２側に押すこと。さらに、スライド部材４１にヒンジを介して第１および第２雪押板５１、５３が付設され、ヒンジの回動可能な角度は各雪押板５１、５３が屋根２０の軒２２側に倒れた位置から各雪押板５１、５３が立った位置になるまでである。【選択図】        図１
2007046297.tif 000002
【特許請求の範囲】
【請求項１】
屋根上の積雪を除去する屋根の除雪装置であって、
前記屋根の棟側から軒側までにわたって配設されたボールネジと、
前記ボールネジを回転させる駆動手段と、
前記ボールネジに螺合し、前記ボールネジの回転により前記ボールネジの軸方向に移動するスライド部材とを備え、
前記スライド部材が前記ボールネジの軸方向に沿って屋根の棟側から軒側に移動するときに、前記スライド部材が前記屋根上の積雪を前記屋根の軒側に押すことを特徴とする屋根の除雪装置。
【請求項２】
請求項１に記載した屋根の除雪装置であって、
前記スライド部材にヒンジを介して雪押板が付設され、
前記ヒンジの回動可能な角度は前記雪押板が前記屋根の軒側に倒れた位置から前記雪押板が立った位置になるまでであることを特徴とする屋根の除雪装置。
【請求項３】
請求項２に記載した屋根の除雪装置であって、
前記雪押板が前記屋根の軒側に倒れた位置にある状態で前記雪押板の先端部が上側に湾曲していることを特徴とする屋根の除雪装置。
【発明の詳細な説明】
【技術分野】
【０００１】
本発明は、建物の屋根上の積雪を除去する屋根の除雪装置に関するものであり、特に簡単な構造で容易に屋根の積雪を除くことができる屋根の除雪装置に関するものである。
【背景技術】
【０００２】
従来、建物の屋根の積雪を除去する除雪装置が使用されている。図６はこの屋根の除雪装置の正面を示し、図７は図６の屋根の除雪装置の側面を示し、図８は図６の屋根の除雪装置の一部分を拡大して示している（例えば特許文献１参照）。
図６に示す屋根の除雪装置６０は、建物の屋根６１の上面に屋根勾配方向の上下方向に沿って往復動可能な可動部材６２（図７参照）と、この可動部材６２を往復動させる駆動機構７１と、可動部材６２に屋根６０の左右方向に延びて配設される雪押動部材６３とを具備している。
この屋根の除雪装置６０では、具体的には、図７に示すように駆動機構７１により回転する回転軸７２に３つの巻回ローラ７３が設けられ、各巻回ローラ７３に対応する各折返ローラ７４が屋根６１の棟側に設けられ、各巻回ローラ７３と各折返ローラ７４とに鋼索７５が掛けられ、各鋼索７５は可動部材６２に連結されている（図８参照）。このため、駆動機構７１が回転軸７２を回転させ、各巻回ローラ７３が駆動されると、鋼索７５が牽引され、可動部材６２が各ガイドレール６４に沿って屋根６１の棟側から軒側に移動する。このため、図６に示すように、積雪６５が雪押動部材６３に押されて屋根６１の軒側から落下する。
【特許文献１】特開平５−２０２６３８号公報
【発明の開示】
【発明が解決しようとする課題】
【０００３】
しかし、上述の従来例では、複数の巻回ローラ７３および折返ローラ７４を使用し、各巻回ローラ７３および折返ローラ７４に各鋼索７５をかけ、各鋼索７５により可動部材６２を牽引している。このため、駆動機構７１の動力が複数の並列に構成されたルートを経由して可動部材６２に伝達されることになるので、屋根の除雪装置の構成が複雑になるという問題があった。
そこで、本発明が解決しようとする課題は、簡単な構造で容易に屋根の積雪を除くことができる屋根の除雪装置を提供することである。
【課題を解決するための手段】
【０００４】
上記課題を解決するため、請求項１記載の発明は、屋根上の積雪を除去する屋根の除雪装置であって、前記屋根の棟側から軒側までにわたって配設されたボールネジと、前記ボールネジを回転させる駆動手段と、前記ボールネジに螺合し、前記ボールネジの回転により前記ボールネジの軸方向に移動するスライド部材とを備え、前記スライド部材が前記ボールネジの軸方向に沿って屋根の棟側から軒側に移動するときに、前記スライド部材が前記屋根上の積雪を前記屋根の軒側に押すことを特徴とする屋根の除雪装置である。
これにより、駆動手段がボールネジを回転させると、スライド部材がボールネジの軸方向に移動する。その際、ボールネジの回転方向を逆にすると、スライド部材の移動方向が逆になり、スライド部材が屋根の棟方向に移動するときは、屋根上の積雪を軒方向に押して除去することができる。そして、除雪後にボールネジの回転方向を逆にしてスライド部材を屋根の棟側に移動させ、上記除雪作業を繰り返すことができる。
【０００５】
さらに、請求項２記載の発明は、請求項１に記載した屋根の除雪装置であって、前記スライド部材にヒンジを介して雪押板が付設され、前記ヒンジの回動可能な角度は前記雪押板が前記屋根の軒側に倒れた位置から前記雪押板が立った位置になるまでであることを特徴とする屋根の除雪装置である。
これにより、除雪の場合には、ヒンジにより雪押板が屋根上の積雪に押されて立った状態になり、また、スライド部材を軒側から棟側に戻す場合には、雪押板が屋根上の積雪に押されてヒンジにより軒側に倒れた状態になる。
【０００６】
さらに、請求項３記載の発明は、請求項２に記載した屋根の除雪装置であって、前記雪押板が前記屋根の軒側に倒れた位置にある状態で前記雪押板の先端部が上側に湾曲していることを特徴とする屋根の除雪装置である。
これにより、雪押板が屋根の軒側に倒れた位置にある状態で除雪を開始すると、雪押板の上側に湾曲している先端部が屋根上の積雪に押されるので、容易に立った状態になる。
【発明の効果】
【０００７】
請求項１記載の発明によれば、簡単な構造で容易に屋根の積雪を除くことができる。
さらに、請求項２記載の発明によれば、請求項１記載の発明の効果とともに、除雪作業を繰り返すことが容易になる。
さらに、請求項３記載の発明によれば、請求項２記載の発明の効果とともに、除雪作業を開始することが容易になる。
【発明を実施するための最良の形態】
【０００８】
以下、図面を参照して、本発明における実施の形態を説明する。
図１は本発明の実施の形態に係る屋根の除雪装置を示し、図２は図１のＡ視図（Ａ矢視は屋根の傾斜した上面に垂直な方向である。）を拡大して一部を切り欠いて示し、図３は図１のスライド部材の側面を示し、図４は前記スライド部材のガイド部材を示し、図５は前記ガイド部材のＢ視図を示す。
【０００９】
図１に示すように、枠部材３０が建物の傾斜した屋根２０の周辺部上に配設され、枠部材３０に駆動手段３１、第１軸受３２、第２軸受３３、第１ガイド部材３６および第２ガイド部材３７が取付けられている。
屋根２０上の積雪２３（図３参照）を除去する屋根の除雪装置１０は、屋根２０の棟２１側から軒２２側までにわたって配設されたボールネジ３５（棟２１側の第１軸受３２および軒２２側の第２軸受３３で回動可能に支えられている。）と、ボールネジ３５をウオームギヤ３４（図２参照）を介して回転させるギヤモータ等の駆動手段３１と、ボールネジ３５に螺合し、ボールネジ３５の回転によりボールネジ３５の軸方向に移動するスライド部材４１とを備えている。具体的には、スライド部材４１の中央部にネジ部４１ａが設けられ、このネジ部４１ａがボールネジ３５に螺合している。
スライド部材４１がボールネジ３５の軸方向に沿って屋根２０の棟２１側から軒２２側に移動するときに、スライド部材４１が屋根２０上の積雪２３を屋根２０の軒２２側に押す。
【００１０】
図２に示すように、スライド部材４１の棟側端部４２にヒンジ４６（図３参照）を介して第１雪押板５１および第２雪押板５３（図１参照）が付設され、ヒンジ４６の回動可能な角度は各雪押板５１、５３が軒２２側に倒れた位置（図３にて二点鎖線で示す位置）から各雪押板５１、５３が立った位置（図３にて実線で示す位置）になるまでである。
なお、図３に二点鎖線で示すように、各雪押板５１、５３が軒２２（図１参照）側に倒れた位置にある状態で第１雪押板５１の先端部５２および第２雪押板５３の先端部５４が上側に湾曲している。
【００１１】
なお、図２に示すように、ボールネジ３５のうち、第１軸受３２からスライド部材４１までの部分は第１蛇腹状部材３８で覆われ、ボールネジ３５のうち、スライド部材４１から第２軸受３３までの部分は第２蛇腹状部材３９で覆われている。これにより、ボールネジ３５が露出することを防ぐことができる。
【００１２】
また、図１に示すように、スライド部材４１の第１先端部４４（図示右側端部）をガイドする第１ガイド部材３６が屋根２０の図示右端に配設され、スライド部材４１の第２先端部４５（図示左側端部）をガイドする第２ガイド部材３７が屋根２０の図示左端に配設されている。これにより、スライド部材４１が円滑にスライドすることができる。具体的には、図４および図５に示すように、第１先端部４４から突出している横軸にローラ４４ａが回動可能に支持され、このローラ４４ａが第１ガイド部材３６の溝３６ａ内を回転して溝３６ａに沿って移動する。第２ガイド部材３７においても同様である。図1に示す第２先端部４５と第２ガイド部材３７との組み合わせにおいても同様である。
【００１３】
図１のように、枠部材３０の右端には積雪２３（図３参照）の状態を測定する積雪センサ２４が配設されている。積雪センサ２４が積雪２３が所定の量以上になったことを検出すると、自動的に駆動手段３１が始動し、積雪２３の除雪を開始する。また、図２のように、枠部材３０の軒２２（図１参照）側には第１リターンスイッチ５５が配設され、枠部材３０の棟２１（図１参照）側には第２リターンスイッチ５６が配設されている。これにより、スライド部材４１が除雪して軒２２側の第１リターンスイッチ５５に達すると（図１にて二点鎖線で示すスライド部材４１参照）、駆動手段３１の回転方向が逆になり、ボールネジ３５の回転方向が逆になるので、スライド部材４１は棟２１側に移動し、第２リターンスイッチ５６に達すると、再度、駆動手段３１の回転方向が逆になり、スライド部材４１は除雪を始める。このようにして、屋根の除雪装置１０は除雪作業を繰り返すことができる。さらに、積雪センサ２４が積雪２３が所定の量未満になったことを検出すると、自動的に駆動手段３１が停止する。
【００１４】
上記構成の屋根の除雪装置１０は以下の作用効果を奏する。
駆動手段３１がボールネジ３５を回転させると、スライド部材４１がボールネジ３５の軸方向に移動する。その際、ボールネジ３５の回転方向を逆にすると、スライド部材４１の移動方向が逆になり、スライド部材４１が屋根２０の棟２１方向に移動するときは、屋根２０上の積雪２３を軒２２方向に押して除去することができる。そして、除雪後にボールネジ３５の回転方向を逆にしてスライド部材４１を屋根２０の棟２１側に移動させ、上記除雪作業を繰り返すことができる。
【００１５】
さらに、除雪の場合には、ヒンジ４６により第１および第２雪押板５１、５３が積雪２３に押されて立った状態になり、また、スライド部材４１を軒２２側から棟２１側に戻す場合には、第１および第２雪押板５１、５３が積雪２３に押されてヒンジ４６により軒２２側に倒れた状態になる。
さらに、除雪の際に、第１および第２雪押板５１、５３が屋根２０の軒２２側に倒れた位置にある状態で、第１および第２雪押板５１、５３の上側に湾曲している先端部５２、５４が積雪２３に押されるので、容易に立った状態になる。
【００１６】
さらに、屋根の除雪装置１０は、全体として振動が少なく、低騒音であり、かつ、省電力型となる。
【００１７】
なお、上記実施の形態において、第１および第２ガイド部材３６、３７はなくてもよい。これにより、スライド部材４１に付設されたローラ４４ａ等を省くことができる。
また、屋根２０が横に長い場合には、複数の屋根の除雪装置１０を屋根２０の上に横方向に並べて設置することもできる。
【図面の簡単な説明】
【００１８】
【図１】本発明の実施の形態にかかわる屋根の除雪装置を示す斜視図である。
【図２】図２は図１のＡ視図を拡大して一部切り欠いて示す部分図である。
【図３】図１のスライド部材等の側面を示す部分図である。
【図４】前記スライド部材のガイド部材を示す斜視図である。
【図５】図４のガイド部材のＢ視図を示す部分図である。
【図６】従来の屋根の除雪装置を示す正面図である。
【図７】図６の屋根の除雪装置の一部分の側面図である。
【図８】図６の一部分を拡大して示す部分図である。
【符号の説明】
【００１９】
１０  屋根の除雪装置
２０  屋根
２１  棟
２２  軒
２３  積雪
３５  ボールネジ
４１  スライド部材
４６  ヒンジ
５１  第１雪押板
５２  先端部
５３  第２雪押板
５４  先端部
【図１】
2007046297.tif 000003
【図２】
2007046297.tif 000004
【図３】
2007046297.tif 000005
【図４】
2007046297.tif 000006
【図５】
2007046297.tif 000007
【図６】
2007046297.tif 000008
【図７】
2007046297.tif 000009
【図８】
2007046297.tif 000010